【手続補正書】
【提出日】平成18年5月29日(2006.5.29)
【手続補正１】
【補正対象書類名】明細書
【補正対象項目名】発明の名称
【補正方法】変更
【補正の内容】
【発明の名称】遊技用システム及び管理装置
【手続補正２】
【補正対象書類名】明細書
【補正対象項目名】特許請求の範囲
【補正方法】変更
【補正の内容】
【特許請求の範囲】
【請求項１】  遊技場内に設置され、遊技用装置を特定可能な装置識別情報と催事判定の対象となる催事判定対象情報とを送信する送信手段を有する遊技用装置と、
該遊技用装置とのデータ通信を行うためのデータ通信手段と、催事対象者となる条件を設定するための催事対象条件設定手段と、該催事対象条件設定手段にて設定された催事対象条件を記憶する催事対象条件記憶手段と、前記装置識別情報に対応付けて前記催事判定対象情報を記憶する催事判定対象情報記憶手段と、該催事判定対象情報記憶手段に記憶された催事判定対象情報に基づき、前記遊技用装置にて遊技中の遊技者が催事対象条件を満たしているか否かを判定するための判定手段と、該判定手段にて催事対象条件を満たしていると判定した場合に、前記催事判定対象情報記憶手段に記憶された装置識別情報に基づいて、該装置識別情報の遊技用装置に該当する遊技台を特定し、該特定した遊技台を特定可能な情報を表示するための表示手段と、を備える管理装置と、
から成ることを特徴とする遊技用システム。
【請求項２】  少なくとも遊技者を特定可能な遊技者特定情報と該遊技者に関する遊技者関連情報とが対応付けて登録された遊技者データベースを有する管理装置と、
遊技場内に設置された遊技台に対応して設けられ、前記遊技者特定情報が記録された記録媒体を受付けて該記録情報の読み出しを行う読み出し手段と、該読み出し手段により読み出された前記遊技者特定情報と該遊技用装置を特定可能な装置識別情報とを前記管理装置に送信する送信手段とを備える遊技用装置と、
から成る遊技用システムにおいて、
前記管理装置は、催事対象者となる条件を設定するための催事対象条件設定手段と、該催事対象条件設定手段にて設定された催事対象条件を記憶する催事対象条件記憶手段と、受信した前記遊技者特定情報に基づいて、該遊技者が催事対象条件を満たしているか否かを判定するための判定手段と、該判定手段にて催事対象条件を満たしていると判定した場合に、前記遊技者特定情報とともに送信されてきた前記装置識別情報から、該装置識別情報を送信した遊技用装置が対応する遊技台を特定し、該特定した遊技台を特定可能な情報を表示するための表示手段と、を備えることを特徴とする遊技用システム。
【請求項３】  前記表示手段は、遊技場内に設置された遊技台の配置状況を表示し、該配置画面上に前記特定した遊技台を特定可能な情報を表示する請求項１または２に記載の遊技用システム。
【請求項４】  催事対象遊技者への利益付与が完了した旨の通知を受け付けるための利益付与完了通知受付手段を備え、前記表示手段は、該利益付与完了通知受付手段による利益付与完了通知の受け付けに基づき、利益付与が完了した遊技台の表示態様を変更する請求項１〜３のいずれかに記載の遊技用システム。
【請求項５】  前記催事対象条件設定手段は、複数の催事対象条件を設定可能とされ、前記判定手段は、設定されている複数の催事対象条件から催事対象条件を満たしている催事を選定し、前記表示手段は、該選定された催事の内容を特定可能に表示する請求項１〜４のいずれかに記載の遊技用システム。
【請求項６】  前記管理装置は、前記判定手段により催事対象条件を満たしていると判定された遊技者数を集計するための集計手段と、該集計手段の集計結果を出力するための出力手段を備える請求項１〜５のいずれかに記載の遊技用システム。
【請求項７】 遊技場内に設置された遊技用装置から送信される、該遊技用装置を特定可能な装置識別情報と催事判定の対象となる催事判定対象情報とを受信する受信手段と、
催事対象者となる条件を設定するための催事対象条件設定手段と、
該催事対象条件設定手段にて設定された催事対象条件を記憶する催事対象条件記憶手段と、
前記装置識別情報に対応付けて前記催事判定対象情報を記憶する催事判定対象情報記憶手段と、
該催事判定対象情報記憶手段に記憶された催事判定対象情報に基づき、前記遊技用装置にて遊技中の遊技者が催事対象条件を満たしているか否かを判定するための判定手段と、
該判定手段にて催事対象条件を満たしていると判定した場合に、前記催事判定対象情報記憶手段に記憶された装置識別情報に基づいて、該装置識別情報の遊技用装置に該当する遊技台を特定し、該特定した遊技台を特定可能な情報を表示するための表示手段と、
を備えることを特徴とする管理装置。
【請求項８】 少なくとも遊技者を特定可能な遊技者特定情報と該遊技者に関する遊技者関連情報とが対応付けて登録された遊技者データベースと、
遊技場内に設置された遊技台に対応して設けられた遊技用装置から送信される、前記遊技者特定情報が記録された記録媒体から読み出された遊技者特定情報と該遊技用装置を特定可能な装置識別情報とを受信する受信手段と、
催事対象者となる条件を設定するための催事対象条件設定手段と、
該催事対象条件設定手段にて設定された催事対象条件を記憶する催事対象条件記憶手段と、
前記遊技用装置から受信した前記遊技者特定情報に基づいて、該遊技者が催事対象条件を満たしているか否かを判定するための判定手段と、
該判定手段にて催事対象条件を満たしていると判定した場合に、前記遊技者特定情報とともに送信されてきた前記装置識別情報から、該装置識別情報を送信した遊技用装置が対応する遊技台を特定し、該特定した遊技台を特定可能な情報を表示するための表示手段と、
を備えることを特徴とする管理装置。
【手続補正３】
【補正対象書類名】明細書
【補正対象項目名】０００１
【補正方法】変更
【補正の内容】
【０００１】
【発明の属する技術の分野】
本発明は、遊技場において実施される催事（イベント）の対象条件に合致した遊技者の存在状況を、簡便に把握することのできる遊技用システム及び管理装置に関する。
【手続補正４】
【補正対象書類名】明細書
【補正対象項目名】０００４
【補正方法】変更
【補正の内容】
【０００４】
【発明が解決しようとする課題】
これらイベントを開催する場合においては、催事対象者が遊技場内にどの程度存在するのか、どの台にて催事対象者が遊技しているのかを把握したいという遊技場側の要望があるが、これら遊技場内における催事対象者の状況をリアルタイムでかつ簡便に把握することのできる遊技用システム及び管理装置が存在しなかった。
【手続補正５】
【補正対象書類名】明細書
【補正対象項目名】０００５
【補正方法】変更
【補正の内容】
【０００５】
よって、本発明は上記した問題点に着目してなされたもので、遊技場内における催事対象者の存在状況をリアルタイムでかつ簡便に把握することのできる遊技用システム及び管理装置を提供することを目的としている。
【手続補正６】
【補正対象書類名】明細書
【補正対象項目名】０００７
【補正方法】変更
【補正の内容】
【０００７】
本発明の遊技用システムは、少なくとも遊技者を特定可能な遊技者特定情報と該遊技者に関する遊技者関連情報とが対応付けて登録された遊技者データベースを有する管理装置と、
遊技場内に設置された遊技台に対応して設けられ、前記遊技者特定情報が記録された記録媒体を受付けて該記録情報の読み出しを行う読み出し手段と、該読み出し手段により読み出された前記遊技者特定情報と該遊技用装置を特定可能な装置識別情報とを前記管理装置に送信する送信手段とを備える遊技用装置と、
から成る遊技用システムにおいて、
前記管理装置は、催事対象者となる条件を設定するための催事対象条件設定手段と、該催事対象条件設定手段にて設定された催事対象条件を記憶する催事対象条件記憶手段と、受信した前記遊技者特定情報に基づいて、該遊技者が催事対象条件を満たしているか否かを判定するための判定手段と、該判定手段にて催事対象条件を満たしていると判定した場合に、前記遊技者特定情報とともに送信されてきた前記装置識別情報から、該装置識別情報を送信した遊技用装置が対応する遊技台を特定し、該特定した遊技台を特定可能な情報を表示するための表示手段と、を備えることを特徴としている。
この特徴によれば、遊技用装置から送信される遊技用装置を特定可能な装置識別情報と遊技者特定情報に基づき、該遊技用装置が対応する遊技台にて遊技している遊技者が、催事対象条件設定手段にて設定されている催事対象条件を満たしているか否かが前記判定手段にて判定され、催事対象条件を満たしていると判定された場合において、該遊技者が遊技をしている遊技台が特定され、該特定された遊技台を特定可能な情報が表示手段に表示されるようになるため、遊技場内における催事対象者の存在状況をリアルタイムでかつ簡便に把握することができる。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１３
【補正方法】変更
【補正の内容】
【００１３】
本発明の遊技用システムは、前記管理装置は、前記判定手段により催事対象条件を満たしていると判定された遊技者数を集計するための集計手段と、該集計手段の集計結果を出力するための出力手段を備えることが好ましい。
このようにすれば、これら集計結果を、今後の催事条件を設定する際の参考にすることができる。
本発明の管理装置は、遊技場内に設置された遊技用装置から送信される、該遊技用装置を特定可能な装置識別情報と催事判定の対象となる催事判定対象情報とを受信する受信手段と、
催事対象者となる条件を設定するための催事対象条件設定手段と、
該催事対象条件設定手段にて設定された催事対象条件を記憶する催事対象条件記憶手段と、
前記装置識別情報に対応付けて前記催事判定対象情報を記憶する催事判定対象情報記憶手段と、
該催事判定対象情報記憶手段に記憶された催事判定対象情報に基づき、前記遊技用装置にて遊技中の遊技者が催事対象条件を満たしているか否かを判定するための判定手段と、
該判定手段にて催事対象条件を満たしていると判定した場合に、前記催事判定対象情報記憶手段に記憶された装置識別情報に基づいて、該装置識別情報の遊技用装置に該当する遊技台を特定し、該特定した遊技台を特定可能な情報を表示するための表示手段と、
を備えることを特徴としている。
この特徴によれば、遊技用装置から送信される遊技用装置を特定可能な装置識別情報と催事判定の対象となる催事判定対象情報に基づき、該遊技用装置に該当する遊技台にて遊技している遊技者が、催事対象条件設定手段にて設定されている催事対象条件を満たしているか否かが前記判定手段にて判定され、催事対象条件を満たしていると判定された場合において、該遊技者が遊技をしている遊技台が特定され、該特定された遊技台を特定可能な情報が表示手段に表示されるようになるため、遊技場内における催事対象者の存在状況をリアルタイムでかつ簡便に把握することができる。
本発明の管理装置は、少なくとも遊技者を特定可能な遊技者特定情報と該遊技者に関する遊技者関連情報とが対応付けて登録された遊技者データベースと、
遊技場内に設置された遊技台に対応して設けられた遊技用装置から送信される、前記遊技者特定情報が記録された記録媒体から読み出された遊技者特定情報と該遊技用装置を特定可能な装置識別情報とを受信する受信手段と、
催事対象者となる条件を設定するための催事対象条件設定手段と、
該催事対象条件設定手段にて設定された催事対象条件を記憶する催事対象条件記憶手段と、
前記遊技用装置から受信した前記遊技者特定情報に基づいて、該遊技者が催事対象条件を満たしているか否かを判定するための判定手段と、
該判定手段にて催事対象条件を満たしていると判定した場合に、前記遊技者特定情報とともに送信されてきた前記装置識別情報から、該装置識別情報を送信した遊技用装置が対応する遊技台を特定し、該特定した遊技台を特定可能な情報を表示するための表示手段と、
を備えることを特徴としている。
この特徴によれば、遊技用装置から送信される遊技用装置を特定可能な装置識別情報と遊技者特定情報に基づき、該遊技用装置が対応する遊技台にて遊技している遊技者が、催事対象条件設定手段にて設定されている催事対象条件を満たしているか否かが前記判定手段にて判定され、催事対象条件を満たしていると判定された場合において、該遊技者が遊技をしている遊技台が特定され、該特定された遊技台を特定可能な情報が表示手段に表示されるようになるため、遊技場内における催事対象者の存在状況をリアルタイムでかつ簡便に把握することができる。
【手続補正１０】
【補正対象書類名】明細書
【補正対象項目名】０１０１
【補正方法】変更
【補正の内容】
【０１０１】
本発明の請求項２は、少なくとも遊技者を特定可能な遊技者特定情報（会員ＩＤ）と該遊技者に関する遊技者関連情報（住所、年齢、性別など）とが対応付けて登録された遊技者データベースを有する管理装置（会員管理コンピュータ１２０）と、遊技場内に設置された遊技台（パチンコ機２）に対応して設けられ、前記遊技者特定情報（会員ＩＤ）が記録された記録媒体（会員カード）を受付けて該記録情報の読み出しを行う読み出し手段（カードリーダライタ３２７）と、該読み出し手段（カードリーダライタ３２７）により読み出された前記遊技者特定情報（会員ＩＤ）と該遊技用装置（カードユニット３）を特定可能な装置識別情報（装置ＩＤ）とを前記管理装置（会員管理コンピュータ１２０）に送信する送信手段（制御ユニット３２８）とを備える遊技用装置（カードユニット３）と、から成る遊技用システムにおいて、前記管理装置（会員管理コンピュータ１２０）は、催事対象者となる条件を設定するための催事対象条件設定手段（イベント設定画面）と、該催事対象条件設定手段（イベント設定画面）にて設定された催事対象条件を記憶する催事対象条件記憶手段（記憶装置１２５）と、受信した前記遊技者特定情報（会員ＩＤ）に基づいて、該遊技者が催事対象条件を満たしているか否かを判定するための判定手段（ＣＰＵ１２２）と、該判定手段（ＣＰＵ１２２）にて催事対象条件を満たしていると判定した場合に、前記遊技者特定情報（会員ＩＤ）とともに送信されてきた前記装置識別情報（装置ＩＤ）から、該装置識別情報（装置ＩＤ）を送信した遊技用装置（カードユニット３）が対応する遊技台（パチンコ機２）を特定し、該特定した遊技台（パチンコ機２）を特定可能な情報を表示するための表示手段（表示装置１２７）と、を備える。
【手続補正１１】
【補正対象書類名】明細書
【補正対象項目名】０１０３
【補正方法】削除
【補正の内容】
【手続補正１２】
【補正対象書類名】明細書
【補正対象項目名】０１０４
【補正方法】削除
【補正の内容】
【手続補正１３】
【補正対象書類名】明細書
【補正対象項目名】０１０５
【補正方法】変更
【補正の内容】
【０１０５】
本発明の請求項４は、催事対象遊技者への利益付与が完了した旨の通知を受け付けるための利益付与完了通知受付手段（赤外線受光ユニット３１０）を備え、前記表示手段（表示装置１２７）は、該利益付与完了通知受付手段（赤外線受光ユニット３１０）による利益付与完了通知の受け付け（リモコン操作による赤外線の受光）に基づき、利益付与が完了した遊技台（パチンコ機２）の表示態様を変更する。
【手続補正１４】
【補正対象書類名】明細書
【補正対象項目名】０１０６
【補正方法】変更
【補正の内容】
【０１０６】
本発明の請求項５は、前記催事対象条件設定手段（イベント設定画面）は、複数の催事対象条件を設定可能とされ、前記判定手段（ＣＰＵ１２２）は、設定されている複数の催事対象条件から催事対象条件を満たしている催事を選定し、前記表示手段（表示装置１２７）は、該選定された催事の内容を特定可能に（多機能ＬＥＤ３０１ａの表示色と同色により色分けして）表示する。
【手続補正１５】
【補正対象書類名】明細書
【補正対象項目名】０１０７
【補正方法】変更
【補正の内容】
【０１０７】
本発明の請求項６は、前記管理装置（会員管理コンピュータ１２０）は、前記判定手段（ＣＰＵ１２２）により催事対象条件を満たしていると判定された遊技者数を集計するための集計手段（ＣＰＵ１２２）と、該集計手段の集計結果を出力するための出力手段（表示装置１２７）を備える。
本発明の請求項７は、遊技場内に設置された遊技用装置（カードユニット３）から送信される、該遊技用装置（カードユニット３）を特定可能な装置識別情報（装置ＩＤ）と催事判定の対象となる催事判定対象情報（会員ＩＤ、始動信号、大当り信号）とを受信する受信手段（第２通信部１３０）と、催事対象者となる条件を設定するための催事対象条件設定手段（イベント設定画面）と、該催事対象条件設定手段（イベント設定画面）にて設定された催事対象条件を記憶する催事対象条件記憶手段（記憶手段１２５）と、前記装置識別情報（装置ＩＤ）に対応付けて前記催事判定対象情報（会員ＩＤ）を記憶する催事判定対象情報記憶手段（記憶手段１２５）と、該催事判定対象情報記憶手段（記憶手段１２５）に記憶された催事判定対象情報（会員ＩＤ）に基づき、前記遊技用装置（カードユニット３）にて遊技中の遊技者が催事対象条件を満たしているか否かを判定するための判定手段（ＣＰＵ１２２）と、該判定手段（ＣＰＵ１２２）にて催事対象条件を満たしていると判定した場合に、前記催事判定対象情報記憶手段（記憶手段１２５）に記憶された装置識別情報（装置ＩＤ）に基づいて、該装置識別情報（装置ＩＤ）の遊技用装置（カードユニット３）に該当する遊技台（パチンコ機２）を特定し、該特定した遊技台を特定可能な情報（台番号）を表示するための表示手段（表示装置１２７）と、を備える。
本発明の請求項８は、少なくとも遊技者を特定可能な遊技者特定情報（会員ＩＤ）と該遊技者に関する遊技者関連情報（住所、年齢、性別など）とが対応付けて登録された遊技者データベースと、遊技場内に設置された遊技台（パチンコ機２）に対応して設けられた遊技用装置（カードユニット３）から送信される、前記遊技者特定情報（会員ＩＤ）が記録された記録媒体（会員カード）から読み出された遊技者特定情報（会員ＩＤ）と該遊技用装置（カードユニット３）を特定可能な装置識別情報（装置ＩＤ）とを受信する受信手段（第２通信部１３０）と、催事対象者となる条件を設定するための催事対象条件設定手段（イベント設定画面）と、該催事対象条件設定手段（イベント設定画面）にて設定された催事対象条件を記憶する催事対象条件記憶手段（記憶装置１２５）と、受信した前記遊技者特定情報（会員ＩＤ）に基づいて、該遊技者が催事対象条件を満たしているか否かを判定するための判定手段（ＣＰＵ１２２）と、該判定手段（ＣＰＵ１２２）にて催事対象条件を満たしていると判定した場合に、前記遊技者特定情報（会員ＩＤ）とともに送信されてきた前記装置識別情報（装置ＩＤ）から、該装置識別情報（装置ＩＤ）を送信した遊技用装置（カードユニット３）が対応する遊技台（パチンコ機２）を特定し、該特定した遊技台（パチンコ機２）を特定可能な情報を表示するための表示手段（表示装置１２７）と、を備える。
【手続補正１６】
【補正対象書類名】明細書
【補正対象項目名】０１３３
【補正方法】変更
【補正の内容】
【０１３３】
（ｂ）請求項２の発明によれば、遊技用装置から送信される遊技用装置を特定可能な装置識別情報と遊技者特定情報に基づき、該遊技用装置が対応する遊技台にて遊技している遊技者が、催事対象条件設定手段にて設定されている催事対象条件を満たしているか否かが前記判定手段にて判定され、催事対象条件を満たしていると判定された場合において、該遊技者が遊技をしている遊技台が特定され、該特定された遊技台を特定可能な情報が表示手段に表示されるようになるため、遊技場内における催事対象者の存在状況をリアルタイムでかつ簡便に把握することができる。
【手続補正１７】
【補正対象書類名】明細書
【補正対象項目名】０１３５
【補正方法】削除
【補正の内容】
【手続補正１８】
【補正対象書類名】明細書
【補正対象項目名】０１３６
【補正方法】削除
【補正の内容】
【手続補正１９】
【補正対象書類名】明細書
【補正対象項目名】０１３７
【補正方法】変更
【補正の内容】
【０１３７】
（ｄ）請求項４の発明によれば、催事対象者である遊技者への対応状況を、簡便に把握することができる。
【手続補正２０】
【補正対象書類名】明細書
【補正対象項目名】０１３８
【補正方法】変更
【補正の内容】
【０１３８】
（ｅ）請求項５の発明によれば、催事対象者である遊技者の存在状況に加えて、各催事対象者が該当する催事内容を簡便に把握することもできる。
【手続補正２１】
【補正対象書類名】明細書
【補正対象項目名】０１３９
【補正方法】変更
【補正の内容】
【０１３９】
（ｆ）請求項６の発明によれば、これら集計結果を、今後の催事条件を設定する際の参考にすることができる。
（ｇ）請求項７の発明によれば、遊技用装置から送信される遊技用装置を特定可能な装置識別情報と催事判定の対象となる催事判定対象情報に基づき、該遊技用装置に該当する遊技台にて遊技している遊技者が、催事対象条件設定手段にて設定されている催事対象条件を満たしているか否かが前記判定手段にて判定され、催事対象条件を満たしていると判定された場合において、該遊技者が遊技をしている遊技台が特定され、該特定された遊技台を特定可能な情報が表示手段に表示されるようになるため、遊技場内における催事対象者の存在状況をリアルタイムでかつ簡便に把握することができる。
（ｈ）請求項８の発明によれば、遊技用装置から送信される遊技用装置を特定可能な装置識別情報と遊技者特定情報に基づき、該遊技用装置が対応する遊技台にて遊技している遊技者が、催事対象条件設定手段にて設定されている催事対象条件を満たしているか否かが前記判定手段にて判定され、催事対象条件を満たしていると判定された場合において、該遊技者が遊技をしている遊技台が特定され、該特定された遊技台を特定可能な情報が表示手段に表示されるようになるため、遊技場内における催事対象者の存在状況をリアルタイムでかつ簡便に把握することができる。